(57)【特許請求の範囲】
【請求項１】
アラーム時刻を設定する時刻設定部と、
オーディオプレーヤが接続され、該オーディオプレーヤにセットされた楽曲をオーディオ信号として再生するオーディオ信号処理部と、
ユーザを覚醒させるための周期音であるアラーム音を発生するアラーム音発生部と、
前記オーディオ信号処理部が出力したオーディオ信号を音響として放音する放音部と、
を備え、
前記オーディオ信号処理部は、前記時刻設定部によって設定されたアラーム時刻の所定時間前にオーディオ信号の出力を開始し、該オーディオ信号の音量を前記所定時間を掛けて予め設定された音量まで徐々に上昇させ、且つ、前記オーディオ信号に対するフィルタ処理の特性を前記所定時間を掛けて中高音域をカットする特性から周波数帯域を制限をしない特性になるまで変化させ、
前記アラーム音発生部は、前記アラーム時刻になったとき、前記アラーム音を前記オーディオ信号に重ねて発生させる
オーディオ再生装置。
【請求項２】
前記オーディオ信号を一旦停止させるスヌーズ操作部をさらに備え、
前記アラーム音発生部は、前記スヌーズ操作部が１回操作されたときアラーム音を停止させ、
前記オーディオ信号処理部は、前記スヌーズ操作部が２回操作されたとき所定のスヌーズ時間だけオーディオ信号の出力を停止し、このスヌーズ時間後は、前記オーディオ信号の音量を前記立ち上がり時間よりも短い時間で音量を前記予め設定された音量まで上昇させ、且つ、前記フィルタ処理を行わない請求項１に記載のオーディオ再生装置。
【発明の詳細な説明】
【技術分野】
【０００１】
この発明は、設定した時刻にラジオや携帯プレイヤー等のオーディオ信号の放音を開始するアラーム機能を備えたオーディオ再生装置に関する。
【背景技術】
【０００２】
ラジオ受信機に目覚まし機能（アラーム機能）を組み合わせた装置が従来より実用化されている（たとえば特許文献１）。この種の装置は、ユーザが設定したアラーム時刻が到来すると、ラジオ放送の受信をオンしたりアラーム音を鳴動させたりすることにより、ユーザを覚醒させる機能を備えている。
【先行技術文献】
【特許文献】
【０００３】
【特許文献１】特開平５−０２２１７２号公報
【発明の概要】
【発明が解決しようとする課題】
【０００４】
しかし、従来のこの種の装置は、アラーム時刻が到来すると、突然大きな音量でラジオが鳴りはじめるため、ユーザは大きな音響で急に覚醒させられることになり、目覚めの感覚が不快なものであった。また、一部には音量を徐々に大きくしてゆくものも実用化されているが、それでも耳障りな音で覚醒させられる場合があり、ユーザにとって快適なものとは言えなかった。
【０００５】
この発明は、ユーザを快適に目覚めさせることができるオーディオ再生装置を提供することを目的とする。
【課題を解決するための手段】
【０００６】
この発明は、アラーム時刻を設定する時刻設定部と、オーディオプレーヤが接続され、該オーディオプレーヤにセットされた楽曲をオーディオ信号として再生するオーディオ信号処理部と、ユーザを覚醒させるための周期音であるアラーム音を発生するアラーム音発生部と、前記オーディオ信号処理部が出力したオーディオ信号を音響として放音する放音部と、前記オーディオ信号処理部が出力したオーディオ信号を音響として放音する放音部と、を備え、前記オーディオ信号処理部は、前記時刻設定部によって設定されたアラーム時刻の所定時間前にオーディオ信号の出力を開始し、該オーディオ信号の音量を前記所定時間を掛けて予め設定された音量まで徐々に上昇させ、且つ、前記オーディオ信号に対するフィルタ処理の特性を前記所定時間を掛けて中高音域をカットする特性から周波数帯域を制限をしない特性になるまで変化させ、前記アラーム音発生部は、前記アラーム時刻になったとき、前記アラーム音を前記オーディオ信号に重ねて発生させることを特徴とする。
【０００９】
上記発明において、前記オーディオ信号を一旦停止させるスヌーズ操作部をさらに備え、前記アラーム音発生部は、前記スヌーズ操作部が１回操作されたときアラーム音を停止させ、前記オーディオ信号処理部が、前記スヌーズ操作部が２回操作されたとき所定のスヌーズ時間だけオーディオ信号の出力を停止し、このスヌーズ時間後は、前記オーディオ信号の音量を前記立ち上がり時間よりも短い時間で音量を前記予め設定された音量まで上昇させ、且つ、前記フィルタ処理を行わないようにしてもよい。
【発明の効果】
【００１０】
この発明によれば、不快な帯域が除かれ、耳に優しい音質で音楽等の音響が鳴りはじめるため、ユーザは睡眠からゆっくり覚醒してゆき、快適に目覚めることが可能になる。
【図面の簡単な説明】
【００１１】
【図１】この発明の実施形態であるオーディオ再生装置のブロック図
【図２】アラームのコンビモード時の動作を説明する図
【図３】コンビモード時のボリウム値制御、カットオフ周波数制御を説明する図
【図４】アラームのオーディオモード、ビープ音モード時の動作を説明する図
【図５】アラームモード時の制御部の動作を示すフローチャート
【図６】アラームモード時の制御部の動作を示すフローチャート
【図７】アラームモード時の制御部の動作を示すフローチャート
【図８】アラームモード時の制御部の動作を示すフローチャート
【発明を実施するための形態】
【００１２】
図面を参照してこの発明の実施形態であるオーディオ再生装置について説明する。このオーディオ再生装置は、ラジオチューナやポータブル再生装置の再生音を拡声・放音する機能を備える。また、このオーディオ再生装置はアラーム機能を備え、セットされた時刻が来るとオーディオ信号の再生を開始するとともに、アラーム機能のモードに応じてビープ音を発生する。
【００１３】
図１はオーディオ再生装置のブロック図である。制御部１０は装置全体の動作を制御する。制御部１０には、操作部１１、表示部１２、クロック（時計）１３、信号処理部２２、チューナ２０、セレクタ２１、音源２３、アンプ２４等が接続されている。
【００１４】
操作部１１は、オーディオソースを切り換えるセレクトスイッチ１１Ａ、アラームセット／停止ボタン１１Ｂ、時刻設定ボタン１１Ｃ、スヌーズボタン１１Ｄ、ボリウムスイッチ１１Ｅ等の各種スイッチ、ボタンが含まれている。表示部１２はＬＥＤが縦横に配列されたドットマトリクス表示器であり、時刻、ラジオのチャンネル、再生中の曲名等が表示される。
【００１５】
セレクタ２１には、ポータブルオーディオプレイヤ２、内蔵のチューナ２０等が接続されており、セレクトスイッチ１１Ａの操作に応じてそのいずれか１つを選択して後段の信号処理部２２に接続する。なお、ポータブルオーディオプレイヤ２は、有線または無線でこのオーディオ再生装置１に接続される。
【００１６】
信号処理部２２は、ＤＳＰで構成されており、入力されたオーディオ信号のフィルタリングや音量調節等を行う。また音源２３は、ＦＭ音源でありアラーム用のビープ音を発生して信号処理部２２に入力する。信号処理部２２が処理したオーディオ信号はアンプ２４に入力される。アンプ２４はこのオーディオ信号を増幅してスピーカ２５に出力する。スピーカ２５はこのオーディオ信号を音響として放音する。
【００１７】
このオーディオ再生装置は、アラーム機能を備えている。アラーム機能とは、ユーザが時刻（アラーム時刻）を設定し、このアラーム時刻が到来すると音響を放音する機能である。音響は、セレクタ２１で選択されたソースのオーディオ信号の再生（オーディオモード）、ビープ音の発生（ビープ音モード）、および、その組み合わせ（コンビネーションモード（コンビモード））のいずれかをユーザが選択可能である。
【００１８】
図２、図３を参照してコンビモードにおけるオーディオ再生装置１の動作について説明する。図２はアラーム時刻前後のオーディオ信号の音量制御、ビープ音の鳴動制御を示す図であり、横軸に経過時間、縦軸に聴感音量（実音量）を示している。また、図３はオーディオ信号の再生開始時のフィルタ特性の制御、ボリウム値の制御、実音量の変化を示す図である。
【００１９】
まず、図２において、ユーザによってセットされたアラーム時刻の３分前にオーディオ信号の再生を開始し、３分間を掛けて、オーディオ信号の音量制御値であるボリウム値、および、オーディオ信号の音質を制御するフィルタ処理のカットオフ周波数を徐々に上昇させる。この３分間がアラームの立ち上がり時間である。
【００２０】
フィルタ処理は高音域をカットするローパスフィルタであり、そのカットオフ周波数を変化させる。同図（Ａ）はフィルタ処理のカットオフ周波数の制御特性を示す図である。カットオフ周波数は、再生開始から３０秒間は３００Ｈｚに維持される。これにより、耳障りな中高音域がカットされ、低音域のみの（胎動音のような）音響が最初に放音される。再生開始後３０秒から２分までの間にカットオフ周波数が徐々に上昇し、２分経過時にカットオフ周波数が無限大（フィルタ処理なし）となるように制御される。
【００２１】
また、図３（Ｂ）はボリウム値の制御特性を示す図である。ボリウム値は、−１００ｄＢから設定値まで（ｄＢ値を）直線的に上昇するように制御される。ボリウム値の設定値はアラームセット時にユーザが設定した音量値である。そして、このボリウム制御による音量の変化と、フィルタ処理のカットオフ周波数制御による音量の変化を合成すると同図（Ｃ）のように音量が変化する。
【００２２】
図２にもどって、オーディオ信号の再生を開始してから３分が経過してアラーム時刻になったとき、オーディオ信号の再生音量をユーザが設定した値まで上昇させるとともに、ビープ音を発生する。これ以後、オーディオ信号が設定された音量で放音されるとともに、ビープ音が放音され、ユーザに覚醒を促す。
【００２３】
この状態でユーザがスヌーズボタン１１Ｄをオンすると、オーディオ再生装置１は、図２（Ａ）に示すように、オーディオ信号を再生したままでビープ音を停止して、スヌーズ状態に入る。このスヌーズ状態の時間は５分間である。この状態で５分が経過すると、オーディオ再生装置１は、再度ビープ音を鳴動させる。この状態でスヌーズボタン１１Ｄが再度オンされると、上記と同じようにスヌーズ状態を繰り返す。また、アラームセット／停止ボタン１１Ｂがオンされるとこのアラーム動作を終了して電源をオフする。
【００２４】
図２（Ａ）に示したように、オーディオ信号が再生され且つビープ音が鳴動しているときにスヌーズボタン１１Ｄがオンされると、オーディオ再生装置１はオーディオ信号を再生しつつビープ音のみを停止する。一方、ビープ音が鳴動しておらずオーディオ信号のみが再生されているときに、スヌーズボタン１１Ｄがオンされるとオーディオ信号の再生も停止して５分のスヌーズ状態に入る（同図（Ｂ）参照）。同図ではビープ音をスヌーズボタン１１Ｄで停止させたのち再度スヌーズボタン１１Ｄをオンしてオーディオ信号を停止する手順を示しているが、ビープ音が鳴動するまえ（オーディオ信号の音量が上昇している途中）などにスヌーズボタン１１Ｄがオンされても同じようにスヌーズ状態にはいる。
【００２５】
このスヌーズ状態では、オーディオ再生装置１は、５分が経過すると、再度オーディオ信号の再生を開始し、徐々に音量を上昇させてゆくが、このときは、１分間で−１００ｄＢから設定値に到達するようにボリウム値を制御する。またこのときフィルタ処理は行わない。既にユーザはある程度の覚醒していると考えれるからである。ボリウム値の制御が終了した１分後にビープ音を鳴動させる。このオーディオ信号とビープ音が一緒に鳴動しているときの動作は図２（Ａ）に示したとおりである。
【００２６】
図４を参照してオーディオモード、ビープ音モードにおけるオーディオ再生装置１の動作について説明する。この図はアラーム時刻直後のオーディオ信号の音量制御、ビープ音の鳴動制御を示す図であり、図２と同様に、横軸に経過時間、縦軸に聴感音量（実音量）を示している。
【００２７】
図４（Ａ）はオーディオモード時のボリウム値制御を示す図である。オーディオモードの場合、オーディオ信号そのものがユーザを覚醒させる音響であるため、オーディオ再生装置１は、アラーム時刻が到来したときオーディオ信号の再生をスタートさせる。ボリウム値の制御特性は図３（Ｂ）と同様であるが、図３（Ａ）に示すようなフィルタ処理は行わない。これはオーディオ信号そのものがユーザを覚醒させるための音響だからである。
【００２８】
そして、オーディオ信号の再生を開始したのち、スヌーズボタン１１Ｄがオンされると、オーディオ信号を停止して５分間のスヌーズ状態にはいる。このスヌーズ状態で５分が経過すると、オーディオ再生装置１は再度オーディオ信号の再生を開始し、１分間で−１００ｄＢから設定値に到達するようにボリウム値を制御する。
【００２９】
図４（Ｂ）はビープ音モード時の発生制御を示す図である。オーディオ再生装置１はアラーム時刻が到来すると、ビープ音の発生を開始する。この状態でスヌーズボタン１１Ｄがオンされると、ビープ音を停止して５分のスヌーズ状態に入る。そして５分が経過すると再度ビープ音の発生を再開する。
【００３０】
つぎに、図５〜図８のフローチャートを参照して、アラームモード時の制御部１０動作を説明する。
図５はアラームセット時の制御部１０の動作を示すフローチャートである。ユーザによってアラームセットボタン１１Ｂがオンされるとこの動作がスタートする。まず、アラームモードの選択を受け付ける（Ｓ１）。アラームモードは、上述のオーディオモード、ビープ音モード、コンビモードである。ユーザによって選択されたモードがオーディオモードのときはその旨を記憶して（Ｓ２）、Ｓ５に進む。ユーザによって選択されたモードがビープ音モードのときはその旨を記憶して（Ｓ３）、Ｓ７に進む。ユーザによって選択されたモードがコンビモードの場合はその旨を記憶して（Ｓ４）、Ｓ５に進む。
【００３１】
Ｓ５ではオーディオソースの選択を受け付ける。選択可能なオーディオソースは、図３ではポータブル再生装置２またはラジオチューナ２０であるが、オーディオソースはこれに限定されない。つぎにアラームモード時のボリウム値の設定を受け付ける（Ｓ６）。このボリウム値は、通常モード時のボリウム値とは連動しておらず、アラームモード時のみのボリウム値である。つぎにアラーム時刻の設定を受け付ける（Ｓ７）。アラーム時刻の設定を受け付けたのちこれらを記憶して電源をオフする（Ｓ８）。
【００３２】
図６は制御部１０のアラーム起動制御動作を示すフローチャートである。この動作はアラームセットからアラーム動作を起動するまでの処理であり、図５のアラームセット動作ののち、一定時間ごと（たとえば１秒ごと）に実行される動作である。
【００３３】
動作がスタートするとアラームのモードがコンビモードである否かを判断する（Ｓ１１）。コンビモードの場合には（Ｓ１１でＹｅｓ）、アラーム時刻の３分前であるか（Ｓ１２）、またはアラーム時刻であるかを判断する（Ｓ１８）。アラーム時刻でなくその３分前でもなければ今回の動作は終了する。アラーム時刻の３分前であれば（Ｓ１２でＹＥＳ）、Ｓ１３〜Ｓ１７の動作を実行する。
【００３４】
アラーム時刻の３分前であれば、オーディオ再生装置１全体の電源をオンし（Ｓ１３）、信号処理部２２に対してフィルタ処理のカットオフとして３００Ｈｚをセットし（Ｓ１４）、ボリウム値として−１００ｄＢをセットする（Ｓ１５）。そして、オーディオ信号の再生を開始する（Ｓ１６）。このオーディオ信号の再生開始は、チューナ２０の場合には、選択されているチャンネルにチューニングして受信信号を信号処理部２２に入力する処理であり、ポータブル再生装置２の場合には、ポータブル再生装置２の電源をリモートでオンして所定のオーディオファイルの読み出し（再生）をスタートさせる等の処理である。そして、図３（Ａ）、（Ｂ）に示す制御特性を信号処理部２２に設定して、３分間のフィルタ制御、音量制御を行わせる（Ｓ１７）。
【００３５】
ここでは、フィルタ処理のカットオフ周波数の制御、ボリウム値の制御は信号処理部２２が自ら行うようにしているが、制御部１０が別の処理動作で、信号処理部２２に対して刻々とカットオフ周波数、ボリウム値を設定するようにしてもよい。
【００３６】
また、コンビモードでアラーム時刻が到来した場合は（Ｓ１８でＹＥＳ）、オーディオ信号に加えてさらにビープ音を鳴動させる（Ｓ２６）。
【００３７】
アラームのモードがコンビモードでない場合には（Ｓ１１でＮＯ）、アラーム時刻であるか否かを判断する（Ｓ２０）。アラーム時刻であれば（Ｓ２０でＹＥＳ）、メロディモードであるか否かを判断する（Ｓ２１）。オーディオモードであれば（Ｓ２１でＹＥＳ）、Ｓ２２〜Ｓ２５の動作を実行する。
【００３８】
オーディオモードでアラーム時刻が到来すると、オーディオ再生装置１全体の電源をオンし（Ｓ２２）、信号処理部２２に対してボリウム値として−１００ｄＢをセットする（Ｓ２３）。そして、オーディオ信号の再生を開始する（Ｓ２４）。そして、図３（Ｂ）に示す制御特性を信号処理部２２に設定して、３分間の音量制御を行わせる（Ｓ２５）。ここではボリウム値の制御は信号処理部２２が自ら行うようにしているが、制御部１０が別の処理動作で、信号処理部２２に対して刻々とボリウム値を設定するようにしてもよい。
【００３９】
また、Ｓ２１においてオーディオモードでない場合すなわちビープ音モードの場合には（Ｓ２１でＮＯ）、装置のの電源をオンして（Ｓ２６）、音源２３にビープ音を発生させ、スピーカ２５から鳴動させる（Ｓ２７）。
【００４０】
図７（Ａ）はスヌーズボタン１１Ｄがオンされたときの動作を示すフローチャートである。スヌーズボタン１１Ｄがオンされると、まずビープ音が鳴動中であるかを判断する（Ｓ３０）。ビープ音が鳴動中の場合には、このビープ音を停止して（Ｓ３１）、タイマをスタートさせる（Ｓ３４）。ビープ音が鳴動していない場合には（Ｓ３０でＮＯ）、オーディオ信号が再生されているかを判断する（Ｓ３２）。オーディオ信号が再生されている場合には（Ｓ３２でＹＥＳ）、このオーディオ信号の再生を停止して（Ｓ３３）、タイマをスタートさせる（Ｓ３４）。ビープ音の鳴動もオーディオ信号の再生もない場合にはそのまま動作を終了する。
【００４１】
ビープ音が鳴動しておらずオーディオ信号が再生されていない場合とは、アラームモードでアラーム時刻が未だ到来していない場合や、図２（Ｂ）のスヌーズ状態の場合などである。また、アラームモードがセットされていない場合にも、このスヌーズボタンのオン操作は無視される。
【００４２】
図７（Ｂ）はアラーム停止ボタン１１Ｂがオンされたときの動作を示すフローチャートである。アラーム停止ボタン１１Ｂがオンされると、そのとき鳴動しているビープ音、オーディオ再生音を停止する（Ｓ４０、Ｓ４１）。そしてアラームモードを解除して通常モードに移行したのち（Ｓ４２）、電源をオフする（Ｓ４３）。こののち、ユーザにより電源がオンされると通常モードで動作する。通常モードの動作とは、ユーザによりセレクトスイッチ１１Ａで選択されたオーディオソースをボリウムスイッチ１１Ｅで設定されたボリウム値で再生する動作である。
【００４３】
図８はタイマ管理動作を示すフローチャートである。スヌーズボタンの操作に対応してスタートしたタイマを管理する動作である。この動作はタイマが動作している間、所定時間ごと（たとえば１秒ごと）に実行される。
【００４４】
まず、タイマがスタートしたのち５分が経過したタイミングであるかを判断する（Ｓ４９）。５分が経過したタイミングの場合にはスヌーズ状態を解除してオーディオ信号の再生またはビープ音の鳴動を再開する。
【００４５】
５分が経過したとき（Ｓ４９でＹＥＳ）、モードがビープ音モードであるか（Ｓ５０）、または、コンビモードでオーディオ信号の再生中であるかを判断する（Ｓ５１）。ビープ音モードの場合（Ｓ５０でＹＥＳ）またはコンビモードでオーディオ信号の再生中（Ｓ５１でＹＥＳ）であば、ビープ音の鳴動を再生し（Ｓ５２）、タイマを停止して（Ｓ５３）、動作を終了する。
【００４６】
ビープ音モードでなく（Ｓ５０でＮＯ）、コンビモードでオーディオ信号の再生中でもなければ（Ｓ５１でＮＯ）、すなわち、オーディオモードまたはコンビモードでオーディオ信号が停止している状態の場合には、信号処理部２２に対してボリウム値として−１００ｄＢをセットして（Ｓ５４）、オーディオ信号の再生を再開する（Ｓ５５）。そして１分間でボリウム値を設定値まで上昇させる制御特性を信号処理部２２に設定してボリウム値制御を行わせる（Ｓ５６）。ここではボリウム値の制御は信号処理部２２が自ら行うようにしているが、制御部１０が別の処理動作で、信号処理部２２に対して刻々とボリウム値を設定するようにしてもよい。そして、アラームのモードがコンビモードか否かを判断する（Ｓ５７）。コンビモードの場合には（Ｓ５７でＹＥＳ）１分後にビープ音を鳴動させるためタイマを動作させたままで動作を終了する。コンビモードでない場合、すなわちオーディオモードの場合には（Ｓ５７でＮＯ）、タイマを停止させて（Ｓ５８）、動作を終了する。
【００４７】
Ｓ４９でタイマスタート後５分を経過したタイミングでないと判断された場合、Ｓ６０に進んで、タイマがスタートしてから６分が経過したタイミングであるかを判断する（Ｓ６０）。６分までタイマで計時するのはコンビモードの場合のみである。６分が経過すると（Ｓ６０でＹＥＳ）、オーディオ信号に加えてビープ音を鳴動させ（Ｓ６１）、タイマを停止する（Ｓ６２）。
【００４８】
タイマが動作しているが５分経過タイミングでも６分経過タイミングでもない場合にはなにもしないで動作を終了する。
【００４９】
この実施形態では、コンビモードのとき、信号処理部２２のフィルタ処理でローパスフィルタのカットオフを３００Ｈｚから∞まで変化させたが、所定周波数（たとえば３００Ｈｚ）以上の周波数帯域の減衰率を変化（たとえば−１００ｄＢ〜０ｄＢ）させるようしてもよい。また、信号処理部２２のフィルタ処理において、バンドパスフィルタを用いて低音側についても制御してもよい。
【００５０】
また、オーディオモードではアラーム起動時にオーディオ信号のボリウム値のみ制御し、フィルタ処理を行っていないが、フィルタ処理を行ってもよい。この場合、図３（Ａ）とは異なる態様のフィルタ処理を行ってもよい。また、オーディオモードの場合にも、アラーム時刻の所定時間前（たとえば３分前）に再生をスタートし、アラーム時刻にボリウム値が設定値になるようにしてもよい。
【００５１】
また、アラーム用に鳴動させるビープ音はどのようなものであってもよい。単純なブザー音やベル音であってもよく、オーディオ信号と競合しない楽音であってもよい。
【符号の説明】
【００５２】
１  オーディオ再生装置
２  ポータブル再生装置
１０  制御部
１１  操作部
１３  クロック（時計）
２２  信号処理部
【図１】
0005943534.tif 000002
【図２】
0005943534.tif 000003
【図３】
0005943534.tif 000004
【図４】
0005943534.tif 000005
【図５】
0005943534.tif 000006
【図６】
0005943534.tif 000007
【図７】
0005943534.tif 000008
【図８】
0005943534.tif 000009